(57)【要約】【課題】アウトセット式扉用錠前装置の錠前受けにおいて、ロック棒をロッド係合穴にガタなく係合させて、たとえ扉が風や衝撃などを受けて揺れることがあっても、カタカタと騒音が発生することを防止する。【解決手段】錠前受けＲ３は、受け本体３０の掛止め板部３２ｂに、その突出方向前後にスライド移動自在に位置決めロック部材４０を重ねて装着する。そして、位置決めロック部材を受け本体の掛止め板部に対して突出方向前後にスライドさせて移動調整し、扉側のロック棒、例えばラッチ２５を、それと掛止め板部にあけたロッド係合穴４５間の遊びの大きさと向きに応じて、ロッド係合穴の穴縁に設けた第１突当てガイド部４５Ａ又は第２突当てガイド部４５Ｂに有する段差のいずれかに当接させ、或いは第３の突当てガイド部４５Ｃに当接させて、扉を全閉位置に施錠している間、ロック棒をガタなくロッド係合穴にロック状態で係合させる構成にする。【選択図】  図１
2007177506.tif 000002
【特許請求の範囲】
【請求項１】
扉枠の外側で開口部に重ねて壁体に外付けするアウトセット式の扉にあって、該扉の上端部に上向きの突出方向へ突出口から出没自在に立設したロック棒を、前記扉の全閉時に係合させてロックするアウトセット式扉用錠前装置の錠前受けであって、
前記壁体における前記開口部上方の上壁に固着し、その上壁に固着したときに前記扉に向け前方へ板状に突出する前記ロック棒の掛止め板部を有し、該掛止め板部にロッド挿通穴を設けてなるアングル状の受け本体と、
該受け本体の掛止め板部に、その突出方向前後にスライド移動自在に重ねて装着する位置決めロック部材と、
該位置決めロック部材を前記掛止め板部に対して移動調整可能に固定する固定手段と、を備え、
前記位置決めロック部材は、前記掛止め板部のロッド挿通穴の位置に重ねてロッド係合穴を設け、該ロッド係合穴には、前記掛止め板部の突出方向左右両側の穴縁に、前記開口部の幅方向に向けて階段状に複数の段差を形成した前記ロック棒の第１の突当てガイド部および第２の突当てガイド部を設けると共に、前記掛止め板部の突出方向前方の穴縁に、前記ロック棒の第３の突当てガイド部を設けてなることを特徴とする、アウトセット式扉用錠前装置の錠前受け。
【発明の詳細な説明】
【技術分野】
【０００１】
本発明は、扉枠の外側で開口部に重ねて壁体に外付けする引戸や折戸や回動式開き戸等のアウトセット式の扉に適用し、扉に、突出口から出没自在に立設したラッチやデッドボルトのようなロック棒を、扉の全閉時に係合させて扉の戻りをロック（施錠）する一方、開くときは引っ込めてロック解除（解錠）するアウトセット式扉用錠前装置の錠前受けに関する。
【背景技術】
【０００２】
最近、建物内を介護に適した構造にリフォームする場合には、たとえば既設の回動式の開き戸は取り外し、要介護者に優しいスライド開閉式の引戸に付け替える改造を行うことが多い。従来、そのように開き戸を引戸に付け替える場合は、既設の扉枠から開き戸を取り外してから、たとえば図１４に示すように、引戸１を、アウトセット方式により、同じ扉枠２の外側（図中手前側）に重ねて、開口部３と壁体４の戸袋壁４ａに沿って左右に往復移動可能に外付けしている。一方で、引戸１を外付けする場合には、全開時に開口部３での有効開口幅が確保されるように、開口部３の横に前記戸袋壁４ａ等の戸袋スペースがあることが必要である。従って、建物の構造上、開口部３の横に戸袋スペースがない場合には、同様に要介護者に優しい折戸を選んで外付けしている。
【０００３】
そこで、この種のアウトセット式扉では、例えばラッチング式の錠前装置を付設し、扉を閉めるときにラッチを壁体側のラッチ受けに係合して扉の戻りをロックし、開くときはラッチを引っ込めてロック解除することにより施解錠している。そのため、従来のラッチング式錠前装置は、たとえば引戸１の上端面１ａに、上向きの突出方向へばね付勢して突出口から、頭部にテーパ面５ａを有したラッチ５を出没自在に立設する一方、壁体４の開口部上方の上壁４ｂに、ラッチ５を係合させるアングル状のラッチ受け６を外側の扉に向けて突設すると共に、ラッチ５との間を、取手７の近くの高さ位置に設ける施解錠操作手段（図示省略）のワイヤー部材でもって連係させて、図１５（Ａ）に示すように、ラッチ５をラッチ受け６のロッド係合穴６ａに対して係脱させる構造になっている。一方、折戸の場合、ラッチング式錠前装置は、図１５（Ｂ）に示すように、折戸１´の上端面１´ａに、ラッチ８を、前記引戸１のラッチ５〔同図（Ａ）参照〕とは開閉動作の態様の違いに合わせて、テーパ面８ａの向きを９０度違えて立設している。
【発明の開示】
【発明が解決しようとする課題】
【０００４】
ところで、従来、ラッチング式錠前装置は、引戸１や折戸１´等のアウトセット式扉を壁体４に外付けする際に、扉を全閉状態とし、扉側のラッチ５・８の位置にロッド係合穴６ａを合わせて、上壁４ｂにラッチ受け６を固着している。
【０００５】
ところが、従来のラッチング式錠前装置は、アウトセット式扉が全閉状態にあるときに、ラッチ５・８がラッチ受け６のロッド係合穴６ａに対し、間にどうしても遊びの発生した遊嵌状態で係合しているため、扉が風や衝撃などを受けて揺れると、そのたびにカタカタと金属音が騒音となって発生するという課題があった。
【０００６】
そこで、上記した課題を解決すべく、請求項１に記載の発明は、たとえば以下に示す図示実施の形態のとおり、扉枠Ｆの外側で開口部Ｓに重ねて壁体Ｗに外付けするアウトセット式の引戸Ｄや折戸Ｄ´等の扉にあって、該扉の上端部２２に上向きの突出方向へ突出口から出没自在に立設したラッチ２５やデッドボルト６０等のロック棒を、前記扉の全閉時に係合させてロックするアウトセット式扉用錠前装置Ｒ・Ｒ´の錠前受けＲ３であって、前記壁体Ｗにおける前記開口部上方の上壁１０に固着し、その上壁１０に固着したときに前記扉に向け前方へ板状に突出する前記ロック棒の掛止め板部３２ｂを有し、該掛止め板部３２ｂにロッド挿通穴３５を設けたアングル状の受け本体３０と、該受け本体３０の掛止め板部３２ｂに、その突出方向前後にスライド移動自在に重ねて装着する位置決めロック部材４０と、該位置決めロック部材４０を前記掛止め板部３２ｂに対して移動調整可能に固定する固定手段５０と、を備え、前記位置決めロック部材４０は、前記掛止め板部３２ｂのロッド挿通穴３５の位置に重ねてロッド係合穴４５を設け、該ロッド係合穴４５には、前記掛止め板部３２ｂの突出方向左右両側の穴縁に、前記開口部Ｓの幅方向に向けて階段状に複数の段差ｘ１〜ｘ５，ｙ１〜ｙ５を形成した前記ロック棒の第１の突当てガイド部４５Ａおよび第２の突当てガイド部４５Ｂを設けると共に、前記掛止め板部３２ｂの突出方向前方の穴縁に、前記ロック棒の第３の突当てガイド部４５Ｃを設けてなることを特徴とする。
【発明の効果】
【０００７】
請求項１に記載の発明によれば、錠前受けの位置決めロック部材を受け本体の掛止め板部に対して突出方向前後に移動調整し、扉側のロック棒を、それとロッド係合穴間の遊びの大きさと向きに応じて、ロッド係合穴の第１突当てガイド部又は第２突当てガイド部に有する段差のいずれかに当接させ、或いは第３の突当てガイド部に当接させて、扉を全閉位置に施錠している間、ロッド棒をガタなくロッド係合穴にロック状態で係合させる構成であるため、たとえ扉が風や衝撃などを受けて揺れることがあっても、それによって従来の如くカタカタと騒音が発生することを確実に防止することができる。
【０００８】
加えて、請求項１に記載の発明によれば、錠前受けの位置決めロック部材を受け本体の掛止め板部に対して移動調整するとき、ロッド棒とロッド係合穴間に遊びが発生する向きに応じて、ロッド係合穴に有する第１および第２突当てガイド部、又は第３突当てガイド部のいずれか一方を選択してロッド棒を当接させ、ガタなくロッド係合穴にロック状態で係合させる構成であるため、扉がロッド棒とロッド係合穴間に遊びを生ずる向きが９０度異なる、引戸系か又は折戸や回動式開き戸系かの違いに関係なく、共通の錠前装置で兼用してロッド棒をガタなくロッド係合穴にロック状態で係合するように調整することができる。また、扉が引戸の場合、それが開方向の異なる左勝手と右勝手の吊り込み仕様の違いに応じて、ロッド係合穴に有する第１の突当てガイド部又は第２の突当てガイド部の一側を選択し、その一側のいずれかの段差にロッド棒を当接させて、ガタなくロッド係合穴にロック状態で係合させる構成であるため、引戸の勝手の違いにも関係なく、共通の錠前装置で兼用してロッド棒をガタなくロッド係合穴にロック状態で係合するように調整することもできる。
【０００９】
更に、請求項１に記載の発明によれば、錠前受けは、その受け本体を開口部上方の上壁に外側の扉に向けて突設するが、その受け本体の掛止め板部にあけたロッド係合穴とロッド棒間に遊びがあるときは、錠前受けの位置決めロック部材を掛止め板部に対して突出方向前後にスライドさせて移動調整する構成とするため、そのときは、扉を開けて錠前受けの下方を開放すれば、その錠前受けの下方から、固定手段を介して簡単に移動調整の作業を行うことができる。
【発明を実施するための最良の形態】
【００１０】
以下、図面を参照しつつ、本発明の実施の形態について説明する。
【００１１】
図１〜図３は、本発明による錠前受けを備えたアウトセット式扉用錠前装置を示し、図４および図５に、その錠前装置を組み付けて適用した引戸構造体を、それぞれ全閉状態と全開状態において示す斜視図である。引戸構造体は、図４および図５に示すように、いずれも既設の壁体Ｗおよび扉枠Ｆと、引戸Ｄとを備える。
【００１２】
引戸構造体において、壁体Ｗは、少なくとも開口部Ｓの真上に上壁１０を備える一方、戸尻側の真横に戸袋壁に相当する壁部分を備えた構造になっている。扉枠Ｆは、例えば開き戸（図示省略）の既設の戸枠体で、天井側横枠材１１と一対の縦枠材１２・１３とで矩形に開口部Ｓを枠付けしている。引戸Ｄは木製で、矩形枠体内に空洞を有し、大小開口面積の異なる一般の開口部に対し使用できるように、例えば高さ２１００ｍｍの比較的大きく縦長なパネルからなっている。そして、扉枠Ｆの外側に重ねて、所定の開閉ストロークの長さだけ壁体Ｗに沿って図中左右にスライド自在に外付けするアウトセット式の構造になっている。
【００１３】
即ち、引戸構造体では、既設の開き戸を扉枠Ｆから取り外してから、壁体Ｗに第１ガイドレール１４を扉枠Ｆの天井側横枠材１１に沿わせて上壁１０に取り付ける。次いで、同じ上壁１０には、第１ガイドレール１４の戸尻側の上側に第１戸車１５を縦向けに取り付ける。一方、引戸Ｄには、片側板面１６の上端縁に幅方向に沿って第２ガイドレール１７を横向けに取り付け、第２ガイドレール１７の戸先側の下側に、第２戸車１８を縦向けに取り付ける。それから、引戸Ｄを持ち上げて、扉枠Ｆの外側（図中手前側）に重ねて壁体Ｗに懸架する。そのとき、引戸Ｄは、第２戸車１８を、壁体Ｗ側の第１ガイドレール１４に係合する一方、第２ガイドレール１７に第１戸車１５を係合すると共に、下端縁に組み入れた第３戸車１９・２０を床面Ｂ上に取り付けた第３ガイドレール２１に係合させて、全閉位置（図４参照）と全開位置（図５参照）との間を開口部Ｓに沿って左右の開閉方向にスライド往復動可能に吊り込む。図示例では、引戸Ｄを開方向が図中左向きの所謂左勝手の仕様で吊り込んでいる。しかる後、いったん引戸Ｄを閉めて全閉状態とし、後述するラッチング式錠前装置Ｒにおいて、錠前受けＲ３を、引戸Ｄ側に備えたラッチ（ロック棒）２５に合わせて上壁１０の所定施解錠位置に取り付ける。
【００１４】
ラッチング式錠前装置Ｒは、図１に示すように、一方の引戸Ｄ側において、上端部２２に組み込むロック手段Ｒ１と、略中段位置の取手位置に組み込む施解錠操作手段Ｒ２と、他方の上壁１０に取り付ける錠前受けＲ３を備えてなる。
【００１５】
ロック手段Ｒ１は、頭部にテーパ面２５ａを有した断面多角形をなすロック棒たるラッチ２５を、引戸Ｄの上端面２２ａの戸先寄りに埋設した樹脂製固定筒２６内に、上向きの突出方向へばね付勢して固定筒２６のラッチ突出口から出没自在に保持した構造になっている。ラッチ２５は、固定筒２６内に、テーパ面２５ａを引戸用に戸先側へ向けて立設する。施解錠操作手段Ｒ２は、ラッチ２５との間をワイヤー部材２７で連結した回動操作レバー２８を備え、回動操作レバー２８の回動操作方向に応じて、ラッチ２５をラッチ突出口から出没させる構造になっている。回動操作レバー２８は、引戸Ｄを間に挟んで反対側の、引戸Ｄの開閉状態（施解錠状態）を表示するオープナー２９と連動するように連結している。
【００１６】
さて、ラッチング式錠前装置Ｒにおいて、特に錠前受けＲ３は、受け本体３０と、位置決めロック部材４０と、位置決めロック部材４０を受け本体３０に固定する固定手段５０とを備えてなる。
【００１７】
受け本体３０は、図２および図３でも示すように、金属製で、細長い平板のベースプレート３１と、Ｌ型のアングル板３２とからなる。ベースプレート３１は、アングル板３２の取付高さ位置調整用に、複数の長穴３３を長さ方向に直列に設けてなる。アングル板３２は、一片側の取付板部３２ａにねじ挿通穴３４を設け、他片側の掛止め板部３２ｂに矩形なロッド挿通穴３５を設けると共に、ロッド挿通穴３５の先端寄り角縁に、一対のねじ挿通穴３６を設けてなる。そして、ベースプレート３１に、アングル板３２を取り付ける高さ位置に応じて、取付板部３２ａの長穴３３に止めねじ３７を通してアングル板３２をねじ止めし、受け本体３０をアングル状に組み立てる構造になっている。
【００１８】
位置決めロック部材４０は、樹脂製で、アングル板３２の掛止め板部３２ｂの板形状に合わせて、一端に差込口４４をあけた薄型なキャップ状に成形している。位置決めロック部材４０には、縦長いロッド係合穴４５を設けると共に、ロッド係合穴４５の両側に、それぞれロッド係合穴４５と平行な向きに細長い一対の逃げ穴４６を設けている。ロッド係合穴４５は、掛止め板部３２ｂの突出方向左右両側の穴縁に、穴幅方向に向けて階段状に複数の段差ｘ１〜ｘ５，ｙ１〜ｙ５を形成した第１の突当てガイド部４５Ａおよび第２の突当てガイド部４５Ｂを設けてなる。図示例では、両側の段差ｘ１〜ｘ５，ｙ１〜ｙ５は、それぞれ１ｍｍ単位ずつ順次に高低差の付いた段部で形成されている。また、位置決めロック部材４０は、ロッド係合穴４５において、掛止め板部３２ｂの差込口４４側があいた突出方向後方の穴縁と対向する前方の穴縁に、ロック棒の第３の突当てガイド部４５Ｃを形成してなる。
【００１９】
固定手段５０は、それぞれ一対の止めねじ５１とナット５２を備え、それらと位置決めロック部材４０に設けた前記逃げ穴４６とで構成してなる。
【００２０】
そこで、錠前受けＲ３は、アングル板３２の掛止め板部３２ｂを差込口４４から位置決めロック部材４０に差し込み、位置決めロック部材４０を掛止め板部３２ｂに、その突出方向前後にスライド移動自在に重ねて装着する。そして、止めねじ５１を、アングル板３２の取付板部３２ａ側から、逃げ穴４６とねじ挿通穴３６に通して、ねじ先端をナット５２にねじ込むことにより、アングル板３２の掛止め板部３２ｂに位置決めロック部材４０を締結する。これにより、位置決めロック部材４０は、固定手段５０で掛止め板部３２ｂに対し締結する位置を移動調整可能にアングル板３２に組み付けられる。図示例では、錠前受けＲ３は、位置決めロック部材４０を、掛止め板部３２ｂに対して、図６（Ａ）に示す長さだけ突出方向前方へ突出させた基準位置で、予め締結してアングル板３２に組み付けておく。
【００２１】
さて、上述した部品構成のラッチング式錠前装置Ｒでは、引戸Ｄを上壁１０に吊り込む場合、図１に示すように、引戸Ｄはいったん全閉させて、該引戸Ｄ側のラッチ２５位置に合わせて、その真横の所定施解錠位置で上壁１０に、錠前受けＲ３を取り付ける。この場合、上壁１０の施解錠位置には、まずベースプレート３１を縦向けにねじ止めしてから、ベースプレート３１に対し、ラッチ２５の頭部高さに位置決めロック部材４０を合わせて、アングル板３２をねじ止めする。次いで、改めて引戸Ｄを全閉し、いま基準位置にある位置決めロック部材４０のロッド係合穴４５に、引戸側のラッチ２５を係合させて、ラッチ２５とロッド係合穴４５とが、間に遊びのある遊嵌状態で係合しているか否かを確認する。このとき、図６（Ａ）に示すように、ラッチ２５とロッド係合穴４５とが、間に遊びなく係合しているときは、ロッド係合穴４５に有する第１の突当てガイド部４５Ａの段差ｘ１に、ラッチ２５の頭部が当接し、ラッチ２５をロック状態に拘束して保持する。一方、本発明では、錠前受けＲ３において、基準位置にある位置決めロック部材４０のロッド係合穴４５とラッチ２５とが、間に開口部Ｓの幅方向に遊びのある遊嵌状態で係合しているときは、以下のように位置決めロック部材４０をスライド移動させてロッド係合穴４５にラッチ２５が遊びなくロック状態で係合するように調整する。
【００２２】
即ち、その場合は、施解錠操作手段Ｒ２の回動操作レバー２８を解錠位置に回動してラッチ２５と繋いだ前記ワイヤー部材２７を引き下げることによって、いったんラッチ２５を付勢ばねに抗して引っ込めてから、引戸Ｄを押し開いて錠前受けＲ３の下方を開放する。それから、錠前受けＲ３の下方から、例えばドライバを用いて、固定手段５０の止めねじ５１をナット５２に対してねじ回し、位置決めロック部材４０の掛止め板部３２ｂに対する締め付けをいったん緩めて後、ラッチ２５とロッド係合穴４５間の遊びの大きさに応じて、位置決めロック部材４０を、図６（Ａ）に示す基準位置から、アングル板３２の掛止め板部３２ｂに対し突出方向前後にスライドさせて移動調節する。つまり、ラッチ２５とロッド係合穴４５間の遊びの大きさだけ、位置決めロック部材４０を、アングル板３２の掛止め板部３２ｂに対してずらし、ロッド係合穴４５に有する第１突当てガイド部４５Ａの段差ｘ２〜ｘ５のいずれかに、ラッチ２５の頭部を当接させる。すると、ラッチ２５とロッド係合穴４５間で、開口部Ｓの幅方向一側に１ｍｍ単位で遊びがなくなり、ラッチ２５がロッド係合穴４５内でガタなくロック状態に拘束される。しかる後、止めねじ５１を締めて、位置決めロック部材４０を受け本体３０に固定してラッチ２５をロック状態でロッド係合穴４５に係合させて保持する。
【００２３】
この場合、基準位置にある位置決めロック部材４０のロッド係合穴４５とラッチ２５間の遊びが、例えば小さいときは、その遊びに応じて、図６（Ｂ）・（Ｃ）に示すように、位置決めロック部材４０を基準位置から、アングル板３２の掛止め板部３２ｂに対し突出方向前方へ段階的に引き出して移動調節し、ロッド係合穴４５の第１突当てガイド部４５Ａの段差ｘ２又はｘ３にラッチ２５の頭部を当接させて、開口部Ｓの幅方向一側に１ｍｍずつ遊びをなくしてラッチ２５をロック状態で保持する。反対に、ラッチ２５とロッド係合穴４５間の遊びが大きいときは、その遊びに応じて、図６（Ｄ）・（Ｅ）に示すように、位置決めロック部材４０を基準位置から、アングル板３２の掛止め板部３２ｂに対し突出方向後方へ段階的に押し込んで移動調節し、ロッド係合穴４５の第１突当てガイド部４５Ａの段差ｘ４又はｘ５にラッチ２５の頭部を当接させて、開口部Ｓの幅方向一側に１ｍｍずつ遊びをなくしてラッチ２５をロック状態で保持する。
【００２４】
そこで、ラッチング式錠前装置Ｒでは、上述のようにラッチ２５をロック調整して左勝手の仕様で吊り込んだ引戸Ｄを、閉方向へスライドさせて閉止するとき、図４に示すように、全閉位置において、ラッチ２５のテーパ面２５ａが錠前受けＲ３の位置決めロック部材４０に当接すると、テーパ面２５に沿ってラッチ２５が付勢ばねに抗して引っ込んでから、再びばね力で突出してロッド係合穴４５に係合し、引戸Ｄの戻りを規制して自動的に施錠する。従って、本発明の錠前受けＲ３では、このように引戸Ｄを全閉位置に施錠している間は、位置決めロック部材４０でラッチ２５がロッド係合穴４５にガタなくロック状態で係合しているため、たとえ引戸Ｄが風や衝撃等を受けて揺れることがあっても、それによって従来の如くカタカタと騒音を発生させることを防止することができる。反対に、全閉位置で施錠状態の引戸Ｄを開くときは、回動操作レバー２８を解錠位置へ回動し、前記ワイヤー部材２７を付勢ばねに抗して引き下げて、ラッチ２５をいったん固定筒２６内へ引っ込めて引戸Ｄの戻り規制を解除してから、開方向へ押し引いてスライドさせるようにする。
【００２５】
なお、以上には、本発明を左勝手仕様で吊り込む引戸Ｄに適用した例を示したが、本発明は、開方向が反対の右向きの所謂右勝手仕様で引戸Ｄを吊り込む場合にも適用することができる。従って、右勝手仕様で引戸Ｄを吊り込む場合でも、錠前受けＲ３は、同様に、位置決めロック部材４０を、掛止め板部３２ｂに対し、図７（Ａ）に示す長さだけ突出方向前方へ突出した基準位置で、予め締結してアングル板３２に組み付けておく。そして、ラッチ２５とロッド係合穴４５とが、間に遊びなく係合しているときは、今度、ロッド係合穴４５の第２突当てガイド部４５Ｂの段差ｙ１に、ラッチ２５の頭部が当接し、ラッチ２５をロック状態に拘束して保持する。そこで、錠前受けＲ３では、基準位置にある位置決めロック部材４０のロッド係合穴４５とラッチ２５とが、間に開口部Ｓの幅方向に遊びのある遊嵌状態で係合しているときは、以下のように位置決めロック部材４０をスライド移動させてロッド係合穴４５にラッチ２５がガタなくロック状態で係合するように調整する。
【００２６】
即ち、その場合は、位置決めロック部材４０を、基準位置から、ラッチ２５とロッド係合穴４５間の遊びの大きさに応じて、図７（Ｂ）〜（Ｅ）に順次に示すように、アングル板３２の掛止め板部３２ｂに対し突出方向前後に段階的にスライドさせて移動調節し、今度は、ロッド係合穴４５の第２突当てガイド部４５Ｂの段差ｙ２〜ｙ５のいずれかにラッチ２５の頭部を当接させる。すると、ラッチ２５とロッド係合穴４５間で、開口部Ｓの幅方向他側に１ｍｍ単位で遊びがなくなり、ラッチ２５は、ロッド係合穴４５内でガタなくロック状態に拘束され保持される。
【００２７】
ところで、上記図示例では、本発明の錠前受けＲ３を備えたラッチング式錠前装置Ｒを引戸Ｄに適用した例を示したが、本発明は、以下に示すように折戸にも適用することができる。図８および図９に、上記ラッチング式錠前装置Ｒを組み付けた折戸構造体を示す。折戸構造体は、既設の壁体Ｗおよび扉枠Ｆと、折戸Ｄ´とを備える。折戸Ｄ´は、比較的縦長な一対の折戸パネル５４・５５を、ギヤヒンジ５６のギヤの噛み合いを介して折り畳み自在に連結してなる。そして、折戸Ｄ´を扉枠Ｆの外側に重ねて、所定の開閉ストロークの長さだけ壁体Ｗに沿って図中左右にスライド自在に外付けするアウトセット式の構造になっている。
【００２８】
そこで、ラッチング式錠前装置Ｒを折戸Ｄ´に適用する場合、ロック手段Ｒ１は、引戸用とは開閉動作の態様の違いに合わせ、テーパ面２５ａの向きを９０度違えて、即ち折戸用にギヤヒンジ５６側に向けて、ラッチ２５を固定筒２６内に立設し、戸先側折戸パネル５４の上端面５４ａに組み付ける。折戸Ｄ´を上壁１０に吊り込む場合には、前記した引戸Ｄの場合と同様、折戸Ｄ´はいったん全閉させて、折戸Ｄ´側のラッチ２５位置に合わせて、その真横の所定施解錠位置で上壁１０に、本発明の錠前受けＲ３を取り付ける。そして、図１０（Ａ）に示すように、いま基準位置にある位置決めロック部材４０のロッド係合穴４５に、折戸パネル５４側のラッチ２５を係合させて、ラッチ２５とロッド係合穴４５とが、間に開口部Ｓの奥行方向に遊びのある遊嵌状態で係合しているか否かを確認する。このとき、本発明では、基準位置にある位置決めロック部材４０のロッド係合穴４５とラッチ２５とが、間に図示のような遊びｄのある遊嵌状態で係合しているときは、以下のように位置決めロック部材４０をスライド移動させて、ロッド係合穴４５にラッチ２５がガタなくロック状態で係合するように調整する。
【００２９】
その場合は、折戸Ｄを押し開いて錠前受けＲ３の下方を開放してから、錠前受けＲ３の下方から、位置決めロック部材４０を、基準位置から、ラッチ２５とロッド係合穴４５間の遊びｄの大きさだけ、図１０（Ｂ）に示すように、アングル板３２の掛止め板部３２ｂに対し突出方向後方へスライドさせ、ロッド係合穴４５の第３突当てガイド部４５Ｃにラッチ２５の頭部を当接させて、開口部Ｓの奥行方向に遊びｄをなくしてラッチ２５をロック状態で保持させるようにする。従って、本発明の錠前受けＲ３は、このように折戸Ｄ´を全閉位置に施錠している間は、位置決めロック部材４０でラッチ２５がロッド係合穴４５にガタなくロック状態で係合しているため、折戸´の場合も、風や衝撃等を受けて揺れることがあっても、それによって従来の如くカタカタと騒音を発生させることを防止することができる。
【００３０】
さて、以上の図示例では、本発明の錠前受けＲ３を備えた錠前装置が、ロック棒として頭部にテーパ面２５ａのあるラッチ２５を用いるラッチング式錠前装置Ｒであった。しかし、本発明は、以下の図１１〜図１３に示すように、ロック棒として角棒状のデッドボルト６０を用い、該デッドボルトを係脱させて扉を施解錠するデッドボルト式錠前装置Ｒ´にも、そのまま適用することができる。図１１および図１２に、本発明の錠前受けＲ３を備えたデッドボルト式錠前装置Ｒ´を示す。図示他例では、デッドボルト式錠前装置Ｒ´のロック手段Ｒ１´および施解錠手段Ｒ２´を、上記折戸Ｄの戸先側折戸パネル５４に組み込み、折戸Ｄ´側のデッドボルト位置に合わせて、その真横の所定施解錠位置で上壁１０に、前記図８に示したと同様、錠前受けＲ３を取り付ける。
【００３１】
デッドボルト式錠前装置Ｒ´において、ロック手段Ｒ１´は、図１１および図１２に示すように、ロック棒のデッドボルト６０を、戸先側折戸パネル５４の上端面５４ａに埋設した矩形箱状の固定筒６１内に、そのボルト突出口から出没自在に保持した構造になっている。施解錠操作手段Ｒ２´は、デッドボルト６０との間をリンク６２で連結した偏心円板からなるカム６３を備え、該カム６３を、回動操作レバー６４とオープナー２９間でそれらと同軸に一体回動可能に連結し、回動操作レバー６４の回動操作に応じてカム６３が回転すると、そのカム６３の回転によってリンク６２を往復移動してデッドボルト６０をボルト突出口から出没させる構造になっている。そして、デッドボルト式錠前装置Ｒ´では、折戸Ｄ´の開閉時、その都度、回動操作レバー６４を回動操作し、その回動方向に応じてデッドボルト６０をボルト突出口から出没させて、錠前受けＲ３のロッド係合穴４５に係脱させて折戸Ｄ´を施解錠するようになっている。
【００３２】
そこで、かかるデッドボルト式錠前装置Ｒ´において、折戸Ｄ´を吊り込んだ場合に、図１３（Ａ）に示すように、いま基準位置にある位置決めロック部材４０のロッド係合穴４５に、折戸パネル５４側のデッドボルト６０を係合させて、デッドボルト６０とロッド係合穴４５とが、間に遊びｄのある遊嵌状態で係合しているときは、前述したと同様、位置決めロック部材４０をスライド移動させて、ロッド係合穴４５にデッドボルト６０がガタなくロック状態で係合するように調整する。即ち、位置決めロック部材４０を、基準位置から、デッドボルト６０とロッド係合穴４５間の遊びｄの大きさだけ、図１３（Ｂ）に示すように、アングル板３２の掛止め板部３２ｂに対し突出方向後方へスライドさせ、ロッド係合穴４５の第３突当てガイド部４５Ｃにデッドボルト６０を当接させて、開口部Ｓの奥行方向に遊びｄをなくしてデッドボルト６０をロック状態で保持する。従って、本発明では、ロック棒がデッドボルト６０の場合であっても同様に、折戸Ｄ´を全閉位置に施錠している間、位置決めロック部材４０でデッドボルト６０をロッド係合穴４５にガタなくロック状態で係合し、風や衝撃等を受けて揺れることがあっても、それによってカタカタと騒音を発生させることがないようにする。
【００３３】
なお、本発明の錠前受けは、扉が回動式の開き戸であっても、上記引戸Ｄや折戸Ｄ´の場合と同様に、図示して説明しないが、位置決めロック部材をスライドさせて、ラッチ２５やデッドボルト６０のようなロック棒とロッド係合穴とがガタなく係合するように調整する構成とすることもできる。
【図面の簡単な説明】
【００３４】
【図１】本発明の錠前受けを備えたアウトセット式扉用錠前装置の斜視図である。
【図２】その錠前受けの分解斜視図である。
【図３】錠前受けを、アングル板に位置決めロック部材を装着した状態で裏側から見て示す底面図である。
【図４】ラッチング式錠前装置を組み付け引戸構造体を引戸全閉状態で示す斜視図である。
【図５】ラッチング式錠前装置を組み付け引戸構造体を引戸全開状態で示す斜視図である。
【図６】引戸が左勝手仕様の場合のラッチのロック調整段階を示すラッチング式錠前装置の平面図である。
【図７】引戸が右勝手仕様の場合のラッチのロック調整段階を示すラッチング式錠前装置の平面図である。
【図８】ラッチング式錠前装置を組み付け折戸構造体を折戸全閉状態で示す斜視図である。
【図９】（Ａ）は折戸が全閉状態の折戸構造体を示し、（Ｂ）は折戸が全開状態の折戸構造体を示す平面図である。
【図１０】扉が折戸の場合のラッチのロック調整段階を示す平面図である。
【図１１】本発明の錠前受けを備えたデッドボルト式錠前装置を示す斜視図である。
【図１２】そのデッドボルト式錠前装置の概略正面図である。
【図１３】デッドボルトのロック調整段階を示す平面図である。
【図１４】従来のラッチング式錠前装置を組み付けたアウトセット式引戸の構造体を引戸全閉状態において示す正面図である。
【図１５】（Ａ）は従来のラッチング式の錠前装置を組み付けたアウトセット式引戸を示し、（Ｂ）は同じく折戸を示す斜視図である。
【符号の説明】
【００３５】
Ｄ            引戸（扉）
Ｄ´          折戸（扉）
Ｆ            扉枠
Ｒ            ラッチング式錠前装置
Ｒ´          デッドボルト式錠前装置
Ｒ１・Ｒ１´  ロック手段
Ｒ２・Ｒ２´  施解錠操作手段
Ｒ３          錠前受け
Ｓ            開口部
Ｗ            壁体
１０          上壁
２５          ラッチ（ロッド棒）
３０          受け本体
３２ｂ        掛止め板部
４０          位置決めロック部材
４５          ロッド係合穴
４５Ａ        第１突当てガイド部
４５Ｂ        第２突当てガイド部
４５Ｃ        第３突当てガイド部
５０          固定手段
６０          デッドボルト（ロック棒）
【図１】
2007177506.tif 000003
【図２】
2007177506.tif 000004
【図３】
2007177506.tif 000005
【図４】
2007177506.tif 000006
【図５】
2007177506.tif 000007
【図６】
2007177506.tif 000008
【図７】
2007177506.tif 000009
【図８】
2007177506.tif 000010
【図９】
2007177506.tif 000011
【図１０】
2007177506.tif 000012
【図１１】
2007177506.tif 000013
【図１２】
2007177506.tif 000014
【図１３】
2007177506.tif 000015
【図１４】
2007177506.tif 000016
【図１５】
2007177506.tif 000017